(57)【要約】      （修正有）【課題】組立玩具を軽量化し、幼児や子供がより容易かつ安全に遊ぶことのできる組立玩具を提供する。【解決手段】組立てられて種々の平面及び立体の構造体を形成させる組立玩具１００において、組立及び分解可能に他の組立玩具と接続する接続辺部１１２ａ等を備え、非磁性を有する本体部１１０と、接続辺部１１２ａ等において軸方向が接続辺部１１２ａ等に平行に配置され、かつ本体部１１０の内部において径方向に回転自在に収容される棒状の磁石部材１２０、１３０，１４０，１５０と、を有し、磁石部材は、Ｎ極とＳ極とが軸回りに交互に着磁されるとともに、軸に直交する方向に沿った断面の外郭線において直線部を備え、さらに、接続される他の組立玩具の磁石部材に対して対向するように形成された対向平面部または対向平面部に対して直交するように形成された側部平面部を有する。【選択図】図１
2015037471.tif 000002
【特許請求の範囲】
【請求項１】
組立てられて種々の平面及び立体の構造体を形成させる組立玩具において、
組立及び分解可能に他の組立玩具と接続する接続辺部を備え、非磁性を有する本体部と、
前記接続辺部の内側に設けられた収容部に、軸方向が前記接続辺部に平行に配置され、かつ軸回りに回転自在に収容される棒状の磁石部材と、
を有し、
前記磁石部材は、Ｎ極とＳ極とが軸回りに交互に着磁されるとともに、軸に対して直交する方向に沿った断面の外郭線において直線部を備え、さらに、軸に対して平行に形成された平面であって、接続される他の組立玩具の磁石部材に対して対向するように形成された対向平面部または前記対向平面部に対して直交するように形成された側部平面部を有することを特徴とする組立玩具。
【請求項２】
前記磁石部材は、Ｎ極とＳ極との２極が軸に対して直交する方向に着磁され、
前記磁石部材の軸に対して直交する方向に沿った断面の外郭線は、円弧部を有し、
前記直線部は、前記円弧部の端部間を結び、かつ磁極の境界線に対して直交する方向に沿って少なくても１つが形成されることを特徴とする請求項１記載の組立玩具。
【請求項３】
前記磁石部材の軸に直交する方向に沿った断面の外郭線において、前記直線部は、２つ形成されることを特徴とする請求項２記載の組立玩具。
【請求項４】
前記磁石部材は、Ｎ極とＳ極との２極が軸に対して直交する方向に着磁され、
前記磁石部材の軸に直交する方向に沿った断面の外郭線は、円弧部を有し、
前記直線部は、前記円弧部の端部同士を結び、かつ磁極の境界線に対して平行に形成されるとともに、前記磁石部材のＮ極側またはＳ極側のうち少なくてもいずれか一方側に設けられることを特徴とする請求項１記載の組立玩具。
【請求項５】
前記直線部は、前記磁石部材のＮ極側及びＳ極側の両側に設けられることを特徴とする請求項４記載の組立玩具。
【発明の詳細な説明】
【技術分野】
【０００１】
本発明は、組立てられて種々の平面及び立体の構造体を形成させる組立玩具に関する。
【背景技術】
【０００２】
組立てられて種々の平面及び立体の構造体を形成させる組立玩具の一つとして、非磁性の材料で形成され接続端が設けられた構造本体部と、構造本体部の内部の接続端付近に収容され軸方向が接続端と略々平行に配設された円柱形のマグネット（磁石部材）とを備え、マグネットは径方向に相対して両磁極が着磁され構造本体部の内部で径方向に回転可能な磁力接続構造体（組立玩具）が知られている（特許文献１参照）。
【０００３】
このような組立玩具は、組立玩具同士を接続させる際に、円柱形のマグネットが軸回りに回転して、マグネットの磁極の位置が自動変換される。よって、接続端の突合わせ確認作業を行う必要がなく、構造本体部を相互に任意の角度で組付けすることができる。したがって、この組立玩具が組み立てられて形成される構造体を種々の形状とすることができるとともに、構造体の形成が容易となっている。
【先行技術文献】
【特許文献】
【０００４】
【特許文献１】特許第３８２２０６２号公報
【発明の概要】
【発明が解決しようとする課題】
【０００５】
このような組立玩具は、特に幼児や子供により使用される。そのため、組立玩具は軽量かつ組立及び分解作業が容易であることが望ましい。この点については、従来の組立玩具において、構成部材中比重の高い材料で形成される磁石部材の小型化を図り、組立玩具を軽量化することが可能である。しかし、この場合、組立玩具は、磁石部材同士の吸引力により接続辺部同士が吸着して接続されるが、磁石部材が備える磁力が小さくなり磁石部材の吸引力が低下してしまうと、接続辺部の吸着力が低下してしまい、組立玩具を所望の形状に組立及び保持することができなくなるおそれがある。また、磁石部材において所定の吸引力を維持するためには、より強い磁力を備えた磁石を磁石部材に用いる必要が生じる。
【０００６】
以上のような事情に鑑み、本発明は、磁石部材の体積が従来に比べて小さく形成された場合であっても、吸引力の低下が抑制された磁石部材を提供することにより、より小型の磁石部材を組立玩具に使用可能とし、組立玩具を軽量化して、幼児や子供がより容易かつ安全に遊ぶことのできる組立玩具を提供することを目的とする。
【課題を解決するための手段】
【０００７】
上記目的を達成するために、請求項１に係る発明は、組立てられて種々の平面及び立体の構造体を形成させる組立玩具において、組立及び分解可能に他の組立玩具と接続する接続辺部を備え、非磁性を有する本体部と、接続辺部の内側に設けられた収容部に、軸方向が接続辺部に平行に配置され、かつ軸回りに回転自在に収容される棒状の磁石部材と、を有し、磁石部材は、Ｎ極とＳ極とが軸回りに交互に着磁されるとともに、軸に対して直交する方向に沿った断面の外郭線において直線部を備え、さらに、軸に対して平行に形成された平面であって、接続される他の組立玩具の磁石部材に対して対向するように形成された対向平面部または対向平面部に対して直交するように形成された側部平面部を有することを特徴とする。 
【０００８】
請求項２に係る発明は、磁石部材は、Ｎ極とＳ極との２極が軸に対して直交する方向に着磁され、磁石部材の軸に対して直交する方向に沿った断面の外郭線は、円弧部を有し、直線部は、円弧部の端部間を結び、かつ磁極の境界線に対して直交する方向に沿って少なくても１つが形成されることを特徴とする。
【０００９】
請求項３に係る発明は、磁石部材の軸に直交する方向に沿った断面の外郭線において、直線部は、２つ形成されることを特徴とする。
【００１０】
請求項４に係る発明は、対向平面部を備えた請求項１に記載の構成に加えて、磁石部材は、Ｎ極とＳ極との２極が軸に対して直交する方向に着磁され、磁石部材の軸に直交する方向に沿った断面の外郭線は、円弧部を有し、直線部は、円弧部の端部同士を結び、かつ磁極の境界線に対して平行に形成されるとともに、磁石部材のＮ極側またはＳ極側のうち少なくてもいずれか一方側に設けられることを特徴とする。
【００１１】
請求項５に係る発明は、請求項４に記載の構成に加えて、直線部は、磁石部材のＮ極側及びＳ極側の両側に設けられることを特徴とする。
【発明の効果】
【００１２】
請求項１の発明によれば、磁石部材の体積がより小さく形成された場合、磁石部材において対向平面部が設けられることにより磁石部材の軽量化が図られることに加えて、相対する磁石部材に対向する面積が確保される。よって、この面積の減少に起因する磁石部材同士の吸引力の低下が抑制される。また、対向平面部に生じる磁力の密度がより均一化される。そのため、接続辺部において所定のかつ安定した吸着力を確保することができる。したがって、このように軽量化された磁石部材が組立玩具に用いられることにより、接続辺部の吸着力の低下を抑制しつつ、組立玩具の軽量化を図ることができる。その結果、幼児や子供がより容易かつ安全に遊ぶことのできる組立玩具を提供することができる。
【００１３】
また、請求項１の発明によれば、磁石部材の体積がより小さく形成された場合、磁石部材において側部平面部が設けられることにより、磁石部材の軽量化が図られることに加えて、互いに吸引し合う磁石部材において表面間の距離が保たれ、磁石部材同士の吸引力の低下が抑制される。よって、このような磁石部材が組立玩具に用いられることにより、接続辺部の吸着力の低下を抑制しつつ、組立玩具の軽量化を図ることができる。その結果、幼児や子供がより容易かつ安全に遊ぶことのできる組立玩具を提供することができる。
【００１４】
請求項２の発明によれば、磁石部材の断面において磁極の境界線に対して直交する直線部を有し、磁石部材の表面に磁極の境界面に対して直交する側部平面部が設けられることにより、請求項１の効果と同様の効果を有する。また、磁石部材がＮ極とＳ極との２極が軸に対して直交する方向に着磁されることにより、各極の表面の領域をより広く確保することができる。また、磁石部材の断面に円弧部を有することにより、磁石部材の表面には円弧面が設けられる。よって、磁石部材の回転の円滑化を図ることができる。
【００１５】
請求項３の発明によれば、上記の請求項２の発明の効果と同様の効果を有することに加えて、磁石部材において対向平面部が２つ設けられるため、磁石部材の体積をより小さく形成することができるとともに磁石部材同士の吸引力の低下を抑制することができる。したがって、より一層、組立玩具の軽量化を図ることができる。
【００１６】
請求項４の発明によれば、磁石部材の断面において磁極の境界線に対して平行な直線部を有し、磁石部材の表面に磁極の境界面に対して平行な対向平面部が設けられることにより、請求項１の効果と同様の効果を有する。また、磁石部材がＮ極とＳ極との２極が軸に対して直交する方向に着磁されることにより、各極の表面の領域をより広く確保することができる。また、磁石部材の断面に円弧部を有することにより、磁石部材の表面には円弧面が設けられる。よって、磁石部材の回転の円滑化を図ることができる。
【００１７】
請求項５の発明によれば、上記の請求項２の発明の効果と同様の効果を有することに加えて、磁石部材の両磁極において対向平面部が設けられるため、磁石部材の両磁極側で、相対する磁石部材に対向する面積が確保される。よって、磁石部材同士の吸引力の低下を抑制しつつ磁石部材の体積をより小さく形成することができるため、より一層、磁石部材を小型化して組立玩具の軽量化を図ることができる。
【図面の簡単な説明】
【００１８】
【図１】第１実施形態に係る組立玩具を示し、（ａ）は平面図、（ｂ）は（ａ）のＡ−Ａ線に沿った断面図である。
【図２】第１実施形態に係る磁石部材を示し、（ａ）は斜視図、（ｂ）は断面図である。
【図３】図１に示す組立玩具の使用例を示し、（ａ）は平面図、（ｂ）は（ａ）の要部断面図、（ｃ）は接続動作を説明するための要部断面図である。
【図４】図１に示す組立玩具の他の使用例を示し、（ａ）は平面図、（ｂ）は（ａ）の要部断面図、（ｃ）は接続動作を説明するための要部断面図である。
【図５】磁石部材の変形例を示す断面図である。
【図６】第２実施形態に係る磁石部材を示し、（ａ）は斜視図、（ｂ）は断面図である。
【図７】第２実施形態に係る磁石部材を示し、（ａ）は要部断面図、（ｂ）は接続動作を説明するための要部断面図である。
【図８】組立玩具の変形例を示す平面図である。
【発明を実施するための形態】
【００１９】
（第１実施形態）
本実施形態に係る組立玩具１００について、図を用いて説明する。なお、以下の実施形態を説明するため、図面においては一部分を大きくまたは強調して記載するなど適宜縮尺を変更して表現している。
【００２０】
組立玩具１００は、組立てられて種々の平面及び立体の構造体を形成させる玩具であり、図１に示すように、本体部１１０と、４つの磁石部材１２０、１３０、１４０、１５０と、を有している。
【００２１】
本体部１１０は、非磁性を有する材料から形成されており、軽量な材料から形成される。本体部１１０は、例えばプラスチック製であるが、樹脂製や木製などであってもよい。本体部１１０は、図１（ａ）に示すように、平面視で四角枠状に形成されている。このように本体部１１０を枠形状とすることにより、本体部１１０の構造上の強度を確保しつつ軽量化が図られている。また、使用される際の把持が容易となる利点がある。本体部１１０の断面は、図１（ｂ）に示すように、左右を長手方向とする長円状に形成されている。本体部１１０は４つの角部１１１を有し、角部１１１は曲面状に面取りされている。なお、面取りの形状は、Ｒ面形状や平面形状などであってもよい。また、このような面取りは設けられなくてもよい。以下の実施形態及び変形例についても同様である。
【００２２】
本体部１１０は、接続辺部１１２ａ〜１１２ｄを有している。接続辺部１１２ａ〜１１２ｄは、外縁形状の辺部であり、Ｒ面を有している。また、接続辺部１１２ａ〜１１２ｄは、組立及び分解可能に他の組立玩具と接続される。接続辺部１１２ａ〜１１２ｄは、図１に示すように、本体部１１０において４つ設けられている。平面視において、接続辺部１１２ａ、１１２ｂは、それぞれ接続辺部１１２ｃ、１１２ｄに対して平行に形成されている。また、接続辺部１１２ａ、１１２ｃは、接続辺部１１２ｂ、１１２ｄに対して直交する方向に沿って形成されている。接続辺部１１２ａ〜１１２ｄは、それぞれ幅及び長さは同一となっている。
【００２３】
本体部１１０は、収容部１１３ａ〜１１３ｄを有する。収容部１１３ａ〜１１３ｄは、それぞれ接続辺部１１２ａ〜１１２ｄの内側に設けられ、接続辺部１１２ａ〜１１２ｄの長さ方向の中央部分の領域に形成されている。収容部１１２ａ〜１１２ｄは、高さ方向が接続辺部１１２ａ〜１１２ｄに対して平行な円柱形状に形成され、円柱空間を形成している。収容部１１３ａ〜１１３ｄは、全て同一の構成となっている。収容部１１３ａ〜１１３ｄには、棒状に形成された磁石部材１２０等の軸方向が接続辺部１１２ａ〜１１２ｄに平行に配置され、かつ磁石部材１２０等が軸回りに回転自在に収容される。そのため、収容部１１３ａ〜１１３ｄの高さ方向の距離Ｌ２は、収容される磁石部材１２０等の軸方向の長さＬ１よりも若干長く形成されている。また、収容部１１３ａ〜１１３ｄの直径Ｄは、収容される磁石部材１２０等の幅方向の最大の長さｄ１（図２（ｂ）参照）よりもやや長く形成されている。
【００２４】
なお、収容部１１３ａ〜１１３ｄは、接続辺部１１２ａ〜１１２ｄの中央部分に形成されることに限定されず、例えば接続辺部１１２ａ〜１１２ｄの長さ方向いっぱいに形成されてもよい。この場合、より軸方向に長さを有する磁石部材を用いることができ、このような磁石部材が用いられることにより、磁石部材同士の吸引力が向上し、接続辺部１１２ａ〜１１２ｄの吸着力を向上させることができる。また、収容部１１３ａ〜１１３ｄの形状は、円柱形状に形成されることに限定されず、多角柱形状など他の形状であってもよい。なお、収容部１１３ａ〜１１３ｄが円弧面を有する場合、収容された磁石部材１２０等の回転が円滑化される利点を有する。
【００２５】
磁石部材１２０、１３０、１４０、１５０は、図１に示すように、棒状の部材であり、それぞれ収容部１１３ａ〜１１３ｄにおいて、上述したように、軸方向が接続辺部１１２ａ〜１１２ｄに対して平行に配置されるとともに、軸回りに回転自在に収容されている。磁石部材１２０等は、全て同一の構成である。よって、磁石部材１２０等については、磁石部材１２０を例にとり説明する。なお、磁石部材１２０、１３０、１４０、１５０のうち、一部あるいは全部の磁石部材を異なる構成としてもよい。また、磁石部材１２０のうち少なくても１つが、後述する側部平面部１２１等を有していればよい。
【００２６】
磁石部材１２０は、磁力を備えた部材により形成される。磁石部材１２０としては、例えばネオジウム磁石、フェライト磁石、サマリウムコバルト磁石、あるいはアルニコ磁石などが用いられる。なお、これらの主な磁石の中で、ネオジウム磁石は、強い磁力を着磁させることが可能であり、かつ安価であるという利点がある。
【００２７】
図２（ａ）は、磁石部材１２０の斜視図である。磁石部材１２０は、図２（ａ）に示すように、円柱形状の側面の２カ所を平面状に切り欠いた形状となっている。磁石部材１２０の軸方向の長さＬ１は、接続辺部１１２ａの長さＬ３に対して、例えば１／６〜１／８に設定される（図１参照）。この場合、短く形成された軽量な磁石部材を用いつつ、接続辺部１１２ａ〜１１２ｄの吸着力を維持可能な磁石部材１２０等の磁力を確保することができるため、磁石部材１２０等の長さと磁力の強度とのバランスが最適化される。
【００２８】
磁石部材１２０は、Ｎ極とＳ極との２極が軸に対して直交する方向（径方向）に着磁されている。磁石部材１２０は、このように２極が径方向に着磁された構成に限定されず、例えばＮ極及びＳ極が軸回りに交互に計４極以上が形成された構成としてもよい。なお、計２極着磁された構成の場合、Ｎ極及びＳ極の表面領域がそれぞれより広く形成されることにより、磁石部材１２０等相互に生じる吸引力を確保することができる。後述する磁石部材３２０についても同様である。
【００２９】
図２（ｂ）は、磁石部材１２０における、軸に対して直交する方向に沿った任意の断面図である。磁石部材１２０の断面は、図２（ｂ）に示すように、外郭線において直線部１２５、１２６と円弧部１２７、１２８とを有している。直線部１２５は、円弧部１２７の端部１２７ａと円弧部１２８の端部１２８ａとを結んでいる。また、直線部１２６は、円弧部１２７の端部１２７ｂと円弧部１２８の端部１２８ｂとを結んでいる。直線部１２５、１２６は、磁極の境界線Ｂに対して直交する方向に沿って形成されている。
【００３０】
このような直線部１２５、１２６及び円弧部１２７、１２８により、図２（ａ）に示すように、磁石部材１２０の表面には、それぞれ側部平面部１２１ａ、１２１ｂ及び円弧面部１２２ａ、１２２ｂが設けられる。側部平面部１２１ａ、１２１ｂは、磁石部材１２０の側面に設けられた平面であり、磁極の境界面に対して直交しかつ磁石部材１２０の軸に対して平行に形成される。側部平面部１２１ａ、１２１ｂは、矩形状に形成されている。また、円弧面部１２２ａ、１２２ｂは、円弧状に形成されており、収容部１１３ａ内における磁石部材１２０の軸回りの回転を円滑化することができる。
【００３１】
磁石部材１２０の端面１２３、１２４は、同一形状の平面である。なお、端面１２３、１２４は、平面状に代えて曲面状であってもよく、それぞれの形状が異なってもよい。また、磁石部材１２０の軸に対して直交する方向に沿った断面は、任意の位置で同一形状であるが、これに限定されず、例えば断面の大きさを軸方向に沿って変化させてもよい。これらの場合、側部平面部は、矩形状には形成されず、側部平面部の長辺あるいは短辺は直線状ではなく曲線状に形成される。後述する磁石部材３２０についても同様である。
【００３２】
次に、組立玩具１００の使用例について説明する。
図３（ａ）は、組立玩具１００が他の組立玩具２００と平面状に接続された状態を示している。組立玩具２００の構成については、組立玩具１００の構成と同様であるが、異ならせてもよい。
【００３３】
図３（ａ）に示すように、接続辺部１１２ａと接続辺部２１２ｃとは、磁石部材１２０のＮ極部分と磁石部材２４０のＳ極部分とが備える磁力により、互いに引き付けられて吸着されており、組立玩具１００と組立玩具２００とが平面状に接続された状態で保持されている。
【００３４】
図３（ｂ）に、図３（ａ）に示す組立玩具１００及び組立玩具２００の接続部分の要部断面図を示す。図３（ｂ）に示すように、磁石部材１２０の円弧面部１２２ａと磁石部材２４０の円弧面部２４２ｂとは、接続辺部１１２ａ、２１２ｃを介して接着される。このように、磁石部材１２０及び磁石部材２４０の表面同士が接近し、磁石部材１２０、２４０同士の吸引力が確保される。
【００３５】
図３（ｃ）は、接続辺部１１２ａと接続辺部２１２ｃとが平面的に接続される際の動作を示す要部断面図である。図３（ｃ）に示すように、組立玩具１００と組立玩具２００とが互いに接近すると、磁石部材１２０及び磁石部材２４０は、それぞれ軸回りに回転することにより、磁石部材１２０のＮ極と磁石部材２４０のＳ極とが、あるいは磁石部材１２０のＳ極と磁石部材２４０のＮ極とが、互いに対向する。なお、図３（ｂ）、（ｃ）においては、磁石部材１２０のＮ極と磁石部材２４０のＳ極とが対向した状態を示している。接続辺部１１２ａ、２１２ｃには、磁石部材１２０と磁石部材２４０との間に生じる磁界により、磁石部材１２０と磁石部材２４０とが互いに接近するような吸引力Ｆが作用する。これにより、接続辺部１１２ａと接続辺部２１２ｃとが、互いに引き寄せられて接着し、保持される。
【００３６】
したがって、磁石部材１２０は、円柱形状の側面を切り欠いたように形成された側部平面部１２１ａ、１２１ｂが設けられることにより体積の減少が図られているが、磁石部材１２０の円弧面部１２２ａと、磁石部材２４０の円弧面部２４２ｂとの距離が接近した状態となり、磁石部材１２０、２４０間に強力な磁力が作用するため、磁石部材１２０と磁石部材２４０との磁力に起因する所定の吸引力Ｆが確保される。
【００３７】
続いて、組立玩具１００と組立玩具２００とが立体状に接続される場合について説明する。図４（ａ）は、組立玩具１００と組立玩具２００とが、側面視においてＬ字状に接続された状態を示している。図４（ａ）に示すように、接続辺部１１２ａと接続辺部２１２ｃとは、互いに引き寄せられ吸着されており、組立玩具１００と組立玩具２００とがＬ字状に接続された状態で保持されている。
【００３８】
図４（ｂ）は、図４（ａ）に示す組立玩具１００及び組立玩具２００の接続部分の要部断面図である。図４（ｂ）に示すように、磁石部材１２０のＮ極部分と磁石部材２４０のＳ極部分とが備える磁力により、磁石部材１２０の円弧面部１２２ａと磁石部材２４０の円弧面部２４２ｂとは、接続辺部１１２ａ、２１２ｃを介して接着される。
【００３９】
図４（ｃ）は、接続辺部１１２ａと接続辺部２１２ｃとが立体的に接続される際の動作を示す要部断面図である。図３（ｃ）に示すように、組立玩具１００と組立玩具２００とが互いに接近すると、磁石部材１２０及び磁石部材２４０の有する磁力の働きによって、磁石部材１２０及び磁石部材２４０は、軸回りに回転し、磁石部材１２０のＮ極と磁石部材２４０のＳ極と、あるいは磁石部材１２０のＳ極と磁石部材２４０のＮ極と、が互いに対向する。なお、図４（ｂ）、（ｃ）では、磁石部材１２０のＮ極と磁石部材２４０のＳ極とが対向した状態を示している。接続辺部１１２ａ、２１２ｃには、磁石部材１２０と磁石部材２４０との間に生じる磁力により、磁石部材１２０と磁石部材２４０とが互いに接近するような吸引力Ｆが作用する。これにより、上記した平面状に接続される場合と同様の効果が生じる。
【００４０】
なお、上記においては、組立玩具同士がＬ字状に接続される場合について説明しているが、あくまでも組立玩具１００、２００の立体状の接続形態の一例である。よって、組立玩具１００と組立玩具２００との接続角度が９０度（Ｌ字状）以外となる場合であっても、相対する磁石部材のＳ極とＮ極とが対向するように、磁石部材１２０、２４０が回転し、組立玩具１００と組立玩具２００とは、所望の角度で接着されかつ保持される。したがって、上記したＬ字状（９０度）に接続される場合と同様の効果を生じる。
【００４１】
以上、第１実施形態について説明したが、円弧部１２７、１２８の一部または全部は、円弧状に代えて直線状、曲線状、あるいは折れ線状としてもよい。また、直線部１２５、１２６及び円弧部１２７、１２８のうちそれぞれ１つは設けられなくてもよい。この場合、磁石部材１２０の軸に直交する方向に沿った断面は、例えば図５（ａ）に示す形状に形成される。図５（ａ）に示す断面は、直線部１２６が設けられておらず、円弧部１２９の端部１２９ａ、１２９ｂ同士を結ぶ直線部１２５のみが設けられている。また、円弧部３２７が、円弧状に代えて一点の角部を有する折れ線により形成された場合、断面は三角形状となり、磁石部材３２０は、三角柱となる。また、直線部及び円弧部はそれぞれ３つ以上設けられてもよい。例えば、円弧部１２７、１２８が、ともに円弧状に代えて直線状の場合、断面は四角形状となり、磁石部材１２０は四角柱状に形成される。また、直線部及び円弧部がそれぞれ３つ以上設けられ、かつ円弧部の全てが円弧状に代えて直線状に形成される場合、断面は多角形状となり、磁石部材１２０は、多角柱状に形成される。
【００４２】
（第２実施形態）
次に、第２実施形態に係る組立玩具について説明する。以下の説明において、第１実施形態と同一または同等の構成部分については同一符号を付けて説明を省略または簡略化する。
【００４３】
本実施形態に係る組立玩具は、上記した組立玩具１００とは、磁石部材の形状のみが異なっており、磁石部材の形状以外の構成要素については同一である。本実施形態に係る組立玩具は、本体部１１０を有している。本実施形態に係る磁石部材は、棒状の部材であり、４つの磁石部材が、それぞれ収容部１１３ａ〜１１３ｄにおいて、軸方向が接続辺部１１２ａ〜１１２ｄに対して平行に配置されるとともに、軸回りに回転自在に収容されている。磁石部材は、全て同一の構成であり、そのうちの一つである磁石部材３２０について説明する。なお、本実施形態に係る組立玩具が有する磁石部材３２０等のうち、一部あるいは全ての磁石部材を異なる構成としてもよい。また、磁石部材３２０等のうち少なくても１つが、後述する対向平面部３２１ａ等を有していればよい。
【００４４】
磁石部材３２０は、磁石部材１２０と同様に、収容部１１３ａ等において、接続辺部１１４ａ等に対して平行に配置され、かつ磁石部材３２０等が軸回りに回転自在に収容される。また、収容部１１３ａ等と磁石部材３２０等との長さの関係についても第１実施形態と同様であり、収容部１１３ａ等の直径Ｄ２は、収容される磁石部材３２０等の幅方向の最大の長さｄ２（図６（ｂ）参照）よりもやや長く形成されている。
【００４５】
図６（ａ）は、磁石部材３２０の斜視図であり、図６（ｂ）は、磁石部材３２０の軸に対して直交する方向に沿った任意の断面図である。磁石部材３２０の断面は、図６（ｂ）に示すように、外郭線において直線部３２５、３２６と円弧部３２７、３２８とを有している。直線部３２５は、円弧部３２７の端部３２７ａと、円弧部３２８の端部３２８ａとを結んでいる。直線部３２６は、円弧部３２７の端部３２７ｂと、円弧部３２８の端部３２８ｂとを結んでいる。直線部３２５はＮ極側、直線部３２６はＳ極側にそれぞれ設けられている。直線部３２５、３２６は、磁極の境界線Ｃに対して平行に形成されている。
【００４６】
このような直線部３２５、３２６及び円弧部３２７、３２８により、磁石部材３２０の表面には、図６（ａ）に示すように、それぞれ対向平面部３２１ａ、３２１ｂ及び円弧面部３２２ａ、３２２ｂが設けられる。対向平面部３２１ａ、３２１ｂは、磁石部材１２０の側面に設けられた平面であり、磁極の境界面及び磁石部材１２０の軸に対して平行に形成される。また、対向平面部３２１ａ、３２１ｂは、矩形状に形成されている。対向平面部３２１ａ、３２１ｂは、他の組立玩具との間で互いに磁力が作用して磁石部材３２０が回転した場合に、他の組立玩具の磁石部材に対して対向するように形成される。
【００４７】
次に、本実施形態に係る組立玩具の使用例について説明する。
本実施形態に係る組立玩具の平面的な接続状態を示す要部断面図を図７（ａ）、接続辺部１１２ａと他の組立玩具の接続辺部２１２ｃとが平面的に接続される際の動作を示す要部断面図を図７（ｂ）に示す。本実施形態に係る組立玩具に接続される組立玩具は、本体部２１０及び磁石部材４２０等を有しており、磁石部材４２０等は、磁石部材３２０と同様の構成となっているが、この構成は、本実施形態に係る組立玩具に接続される組立玩具の一例である。
【００４８】
磁石部材３２０と磁石部材４４０とは、磁石部材３２０のＮ極部分と磁石部材４４０のＳ極部分とが備える磁力により互いに引き寄せられる。そのため、接続辺部１１２ａと接続辺部２１２ｃとは、図７（ａ）に示すように吸着されて、組立玩具同士が平面状に接続された状態で保持される。対向平面部３２１ａは、磁石部材４４０に対して対向した状態となっている。なお、図示しないが、磁石部材３２０のＳ極部分と磁石部材４４０のＮ極部分とが備える磁力により互いに引き寄せられる場合、対向平面部３２１ｂが、磁石部材４４０に対して対向した状態となる。
【００４９】
図７（ｂ）に示すように、接続辺部１１２ａと接続辺部２１２ｃとが接続される際に、組立玩具同士が互いに接近すると、磁石部材３２０及び磁石部材４４０は、磁力の作用により、軸回りに回転して一方の磁石部材のＮ極と他方の磁石部材のＳ極と、あるいは一方の磁石部材のＳ極と他方の磁石部材のＮ極と、が互いに対向する。なお、図７については、磁石部材３２０のＮ極と磁石部材４４０のＳ極とが対向する状態について示している。磁石部材３２０と磁石部材４４０との間に生じる磁力により、磁石部材３２０と磁石部材４４０とが互いに接近するような吸引力Ｆが作用する。これにより、接続辺部１１２ａと接続辺部２１２ｃとが接着された状態で保持される。
【００５０】
このように、磁石部材３２０は、円柱形状の側面を切り欠いたような形状を有する対向平面部３２１ａ、３２１ｂが設けられて体積の減少が図られているが、相対する磁石部材４４０に対向する面積Ａは維持される。よって、面積Ａの減少に起因する磁石部材３２０、４４０同士の吸引力Ｆの低下が抑制される。また、対向平面部３２１ａ、３２１ｂに生じる磁力の密度がより均一化される。そのため、接続辺部１１２ａ、２１２ｃにおいて所定のかつ安定した吸着力Ｆを確保することができる。
【００５１】
なお、本実施形態に係る組立玩具と他の組立玩具とが立体状に接続される場合についても、上記した平面的な接続とほぼ同様である。
【００５２】
以上、第２実施形態について説明したが、円弧部３２７、３２８の一部または全部は、円弧状に代えて直線状、曲線状、あるいは折れ線状としてもよい。また、直線部３２５、３２６及び円弧部３２７、３２８のうちそれぞれ１つは、設けられなくてもよく、この場合、磁石部材３２０の軸に対して直交する方向に沿った断面は、例えば図５（ｂ）に示す形状に形成される。図５（ｂ）に示す断面は、直線部３２６が設けられておらず、円弧部３２９の端部３２９ａ、３２９ｂ同士を結ぶ直線部３２５のみが設けられている。また、円弧部３２７が円弧状に代えて一点の角部を有する折れ線により形成された場合、断面は三角形状となり、磁石部材３２０は、三角柱となる。また、直線部及び円弧部はそれぞれ３つ以上設けられてもよい。例えば、円弧部３２７、３２８が、ともに円弧状に代えて直線状の場合、断面は四角形状となり、磁石部材１２０は四角柱に形成される。また、直線部及び円弧部がそれぞれ３つ以上設けられ、かつ円弧部の全てが円弧状に代えて直線状に形成される場合、断面は多角形状となり、磁石部材１２０は、多角柱に形成される。
【００５３】
（変形例）
続いて、変形例に係る組立玩具５００、６００について、図８を用いて説明する。
組立玩具５００の本体部５１０は、図８（ａ）に示すように、平面視において三角形状かつ枠状に形成されている。組立玩具５００は、磁石部材５２０、５３０、５４０を有している。これら磁石部材５２０等は、全て上記した磁石部材１２０と同様に構成されている。なお、磁石部材５２０、５３０、５４０は、これらのうち少なくても１つが、上記したような対向平面部または側部平面部を有していればよく、全ての磁石部材５２０等が同一の構成で形成されることに限定されない。磁石部材５２０、５３０、５４０は、本体部５１０における三角形の各辺部の中央部分に設けられた収容部５１３ａ〜５１３ｃに、それぞれ収容されている。
【００５４】
また、組立玩具６００の本体部６１０は、図８（ｂ）に示すように、平面視において五角形状かつ枠状に形成されている。組立玩具６００は、磁石部材６２０、６３０、６４０、６５０、６６０を有している。これら磁石部材６２０等は、全て上記した磁石部材１２０と同様に構成されている。なお、磁石部材６２０等は、これらのうち少なくても１つが、上記したような対向平面部または側部平面部を有していればよく、全ての磁石部材６２０等が同一の構成で形成されることに限定されない。磁石部材６２０等は、本体部６１０における五角形の各辺部の中央部分に設けられた収容部６１３ａ〜６１３ｅにそれぞれ収容されている。
【００５５】
このように、組立玩具が、平面視で枠状であって、例えば三角形状あるいは五角形状などの多角形状に形成された場合であっても、磁石部材が対向平面部を備えた構成により、上記した効果を有する。
【００５６】
以上、本発明の実施形態及び変形例について説明したが、本発明は、上記した説明に限定されるものではなく、本発明の要旨を逸脱しない範囲において種々の変更が可能である。例えば、組立玩具は、上記の実施形態及び変形例の構成を組み合わせた構成としてもよい。例えば、変形例に係る組立玩具５００に、磁石部材３２０を適用してもよい。また、本体部の形状は、枠状に代えて、板状などに形成されてもよい。また、上記の実施形態及び変形例においては、全ての接続辺部において磁石部材を有する構成であるが、これに限定されず、少なくても１つの接続辺部において磁石部材を有していればよい。
【符号の説明】
【００５７】
１００、２００、５００、６００…組立玩具
１１０、２１０…本体部
１１２ａ、１１２ｂ、１１２ｃ、１１２ｄ、２１２ｃ…接続辺部
１１３ａ、１１３ｂ、１１３ｃ、１１３ｄ、２１３ｃ、５１３ａ、５１３ｂ、５１３ｃ、６１３ａ、６１３ｂ、６１３ｃ、６１３ｄ、６１３ｅ…収容部
１２０、１３０、１４０、１５０、２４０、３２０、４４０、５２０、５３０、５４０、６２０、６３０、６４０、６５０、６６０…磁石部材
１２１ａ、１２１ｂ…側部平面部
１２５、１２６、３２５、３２６…直線部
１２７、１２８、１２９、３２７、３２８、３２９…円弧部
１２７ａ、１２７ｂ、１２８ａ、１２８ｂ、１２９ａ、１２９ｂ、３２７ａ、３２７ｂ、３２８ａ、３２８ｂ、３２９ａ、３２９ｂ…端部
３２１ａ、３２１ｂ…対向平面部
【図１】
2015037471.tif 000003
【図２】
2015037471.tif 000004
【図３】
2015037471.tif 000005
【図４】
2015037471.tif 000006
【図５】
2015037471.tif 000007
【図６】
2015037471.tif 000008
【図７】
2015037471.tif 000009
【図８】
2015037471.tif 000010